(57)【要約】【課題】  レンズを通して後方の像等を視認することができるとともに、各種のメガネフレームに適用することができるメガネを提供する。【解決手段】  メガネフレーム２と、メガネフレーム２に装着される一対のレンズ８、８とを備えたメガネ１であって、メガネフレーム２に反射鏡１４を有する反射鏡体１０を回動自在に設け、反射鏡体１０を一方に回動させたときに、反射鏡１４がレンズ８、８を通した視界内に位置するように構成する。反射鏡体１０は、メガネフレーム２のリム３の上部に回動自在に連結される支持部材１１と、支持部材１１の裏面側に一体に設けられる反射鏡１４とから構成される。支持部材１１を前方に回動させて所定の位置に位置させたときに、反射鏡１４がレンズ８を通した視界内に位置し、反射鏡１４に映った後方の像等をレンズ８を通して視認することができる。【選択図】        図１
2005181427.tif 000002
【特許請求の範囲】
【請求項１】
メガネフレームと、該メガネフレームに装着される一対のレンズとを備えたメガネであって、前記メガネフレームに反射鏡を有する反射鏡体を回動自在に設け、前記反射鏡体を一方に回動させたときに、前記反射鏡体の反射鏡が前記レンズを通した視界内に位置するように構成したことを特徴とするメガネ。
【請求項２】
前記反射鏡体は、前記メガネフレームのリムの上部からテンプルの上部にかけて設けられるとともに、その位置とメガネフレームの前方の所定の位置との間を回動自在な支持部材と、該支持部材の裏面側に一体に設けられる反射鏡とからなり、前記支持部材を前方に回動させて所定の位置に位置させたときに、前記反射鏡が前記レンズを通した視界内に位置するように構成したことを特徴とする請求項１に記載のメガネ。
【請求項３】
前記反射鏡を、横長又は縦長に形成したことを特徴とする請求項１又は２に記載のメガネ。  
【請求項４】
前記反射鏡体を、前記メガネフレームの各リムの上部から各テンプルの上部にかけてそれぞれ設けたことを特徴とする請求項１から３の何れかに記載のメガネ。
【発明の詳細な説明】
【技術分野】
【０００１】
本発明は、メガネに関し、特に、後方視認機能を備えたメガネに関するものである。
【背景技術】
【０００２】
この種のメガネの一例として、一対のリムと、両リムの内縁部間を連結するブリッジと、各リムの外縁部に回動自在に連結されるテンプルと、テンプルの外面側に回動自在に設けられる反射鏡とを備えたメガネが知られている（例えば、特許文献１参照。）。
【０００３】
この場合、各テンプルは板状に形成されているとともに、リムに隣接する部分に長方形状の開口部が設けられ、この開口部内に長方形状の反射鏡が収納されている。
【０００４】
このような構成のメガネにあっては、反射鏡を開いて所定の角度に設定し、反射鏡に映った後方の像等を視認することにより、後方を振り向くことなく後方の状況を把握することができるというものである。
【０００５】
また、この種のメガネの他の例として、一対のリムと、両リムの内縁部間を連結するブリッジと、各リムの外縁部に連結されるヨロイと、各ヨロイに回動自在に連結されるツルと、各ツルに回動自在に設けられるバックミラーとを備えたものが知られている（例えば、特許文献２参照。）。
【０００６】
この場合、各ツルは二又状に形成され、この二又に形成された部分の内側にバックミラーが収納されている。
【０００７】
このような構成のメガネにあっては、バックミラーを開いて所定の角度に設定し、バックミラーに映った後方の像等を視認することにより、後方を振り向くことなく後方の状況を把握することができるというものである。
【特許文献１】特開平１１−１８３８５５号公報（図１、図２）
【特許文献２】特開２０００−３０５０５４号公報（図１〜図７）
【発明の開示】
【発明が解決しようとする課題】
【０００８】
ところで、上記のような構成のメガネのうち、特許文献１の図１及び図２に記載されているメガネ、及び特許文献２の図１〜図４に記載されているメガネは、反射鏡又はバックミラーがレンズの後方で、かつレンズよりも外側に位置しているため、レンズを通して反射鏡又はバックミラーに映った像等を視認することができない。
【０００９】
また、特許文献２の図５〜図７に記載されているメガネは、バックミラーがレンズよりも前方で外側に位置しているので、レンズを通してバックミラーに映った像等を視認することができる。
【００１０】
しかし、バックミラーをツルの二又の内側に収納する構成となっているため、ツルの形状が限定されてしまい、汎用性が低いものである。さらに、バックミラーがツルの内側に収納できる大きさに制限されるため、後方の広範囲を視認することができない。
【００１１】
本発明は、上記のような従来の問題を解決したものであって、レンズを通して後方の像等を視認することができるとともに、各種のメガネフレームに容易に適用することができて汎用性に優れ、さらに、後方の広範囲を視認することが可能なメガネを提供することを目的とするものである。
【課題を解決するための手段】
【００１２】
上記のような課題を解決するために、本発明の請求項１に係るメガネは、メガネフレームと、該メガネフレームに装着される一対のレンズとを備えたメガネであって、前記メガネフレームに反射鏡を有する反射鏡体を回動自在に設け、前記反射鏡体を一方に回動させたときに、前記反射鏡体の反射鏡が前記レンズを通した視界内に位置するように構成した手段を採用している。
【００１３】
また、本発明の請求項２に係るメガネは、請求項１に記載のメガネであって、前記反射鏡体は、前記メガネフレームのリムの上部からテンプルの上部にかけて設けられるとともに、その位置とメガネフレームの前方の所定の位置との間を回動自在な支持部材と、該支持部材の裏面側に一体に設けられる反射鏡とからなり、前記支持部材を前方に回動させて所定の位置に位置させたときに、前記反射鏡が前記レンズを通した視界内に位置するように構成した手段を採用している。
【００１４】
さらに、本発明の請求項３に係るメガネは、請求項１又は２に記載のメガネであって、前記反射鏡を、横長又は縦長に形成した手段を採用している。
【００１５】
さらに、本発明の請求項４に係るメガネは、請求項１から３の何れかに記載のメガネであって、前記反射鏡体を、前記メガネフレームの各リムの上部から各テンプルの上部にかけてそれぞれ設けた手段を採用している。
【発明の効果】
【００１６】
本発明は、請求項１のように構成したことにより、反射鏡体を一方に回動させたときに、反射鏡体の反射鏡はレンズを通した視界内に位置することになるので、反射鏡に映る後方の像等をレンズを通して視認することができる。従って、後方を振り返らずに後方の状況をレンズを通して把握することができるので、視力矯正用レンズ等を使用している人であっても、そのレンズを通して反射鏡に映った後方の像等を視認することにより、後方を振り返ることなく後方の状況を把握することができる。
【００１７】
また、請求項２のように構成したことにより、支持部材を前方の所定の位置に回動させたときに、反射鏡はレンズを通した視界内に位置することになるので、反射鏡に映る後方の像等をレンズを通して視認することができる。従って、後方を振り返らずに後方の状況をレンズを通して把握することができるので、視力矯正用レンズ等を使用している人であっても、そのレンズを通して反射鏡に映った後方の像等を視認することにより、後方を振り返ることなく後方の状況を把握することができる。
また、反射鏡体は、メガネフレームのリムの上部からテンプルの上部にかけて設けられているので、反射鏡体を取り付けることによってメガネフレームのリム、テンプル等の形状が制限されるようなことはなく、汎用性を高めることができる。
さらに、反射鏡体は、リムの上部からテンプルの上部にかけて設けられているので、大型化してもメガネフレームの機能に影響を与えるようなことはなく、後方の広範囲を反射鏡で捉えることが可能となる。
【００１８】
さらに、請求項３のように構成したことにより、反射鏡を横長又は縦長とすることにより、後方の更に広範囲を反射鏡で捉えることが可能となる。
【００１９】
さらに、請求項４のように構成したことにより、両方の目によってレンズを通して反射鏡に映った後方の状況を捉えることができるので、後方の状況を的確に把握することができる。
【発明を実施するための最良の形態】
【００２０】
以下、図面を参照しつつ、本発明の実施の形態について説明する。
図１及び図２には、本発明によるメガネの一実施の形態が示されていて、このメガネ１は、メガネフレーム２と、メガネフレーム２に装着される一対のレンズ８、８と、メガネフレーム２に回動自在に設けられる反射鏡体１０とを備えている。
【００２１】
メガネフレーム２は、一対の環状のリム３、３と、両リム３、３の内縁部間を一体に連結する棒状のブリッジ５と、各リム３の外縁部に一体に連結される棒状のテンプル６と、ブリッジ５の中央部に一体に連結される略Ｖ形状のノーズパッド７とを備えており、各リム３の内側に視力矯正用、紫外線除去用等のレンズ８がそれぞれ装着されている。
【００２２】
反射鏡体１０は、支持部材１１と、支持部材１１に一体に設けられる反射鏡１４とから構成され、支持部材１１をねじ１５によりメガネフレーム２に回動自在に連結することにより、反射鏡体１０がメガネフレーム２に回動自在に設けられる。
【００２３】
支持部材１１は、メガネフレーム２のリム３の上部からテンプル６の上部にかけて設けられるものであって、一端部がねじ１５を介してリム３の上部に回動自在に連結される腕部１２と、腕部１２の他端部に一体に設けられる支持部１３とから構成され、支持部１３の裏面側に略長方形状の反射鏡１４が接着剤等の接合手段により一体に接合されている。
【００２４】
支持部材１１の腕部１２の一端部は他の部分よりも薄く形成され、この薄肉の部分をメガネフレーム２のリム３の上部に設けた溝４内に挿入させ、ねじ１５によりメガネフレーム２側に固定することにより、支持部材１１がリム３の上部に回動自在に連結される。
【００２５】
支持部材１１は、メガネフレーム２の上部に対応する位置とメガネフレーム２の前方の所定の位置との間を回動可能に構成されている。すなわち、支持部材１１は、前方に回動したときに、腕部１２がレンズ８の面に対して約６０度をなし、支持部１３の裏面がレンズ８の面と略平行となる位置に位置決めされる。支持部材１１の回動角度は、支持部材１１を前方の所定の位置に位置決めしたときに、支持部１３に設けられている反射鏡１４がレンズ８を通した視界内に位置するように設定される。
【００２６】
反射鏡１４は、後方の像等を映すことができれば特に制限はなく、周知の平面鏡、凹面鏡、凸面鏡等を使用することができる。反射鏡１４はこの実施の形態においては横長に形成しているが、縦長に形成しても良い。その場合には、支持部１３を反射鏡１４の形状に応じた形状にすれば良い。
【００２７】
そして、上記のように構成したメガネ１を顔に装着して、ノーズパッド７を鼻の側面に当接させ、テンプル６、６を耳に掛着させることにより、視力矯正用、紫外線除去用等のレンズ８、８を通して、視界内に位置する像等を視認することができる。
【００２８】
そして、メガネ１を顔に装着した状態で各反射鏡体１０を前方に回動させて、前方の所定の位置に位置決めすると、図１に矢印で示すように、各反射鏡体１０の反射鏡１４に後方の像等を映すことができ、この反射鏡１４に映った後方の像等をレンズ８を通して視認することができる。
【００２９】
従って、後方を振り返ることなく、レンズ８を通して反射鏡１４に映った後方の像等を視認することができるので、視力矯正用レンズを使用する人であっても、レンズ８を通して後方の状況を把握することができる。
【００３０】
さらに、反射鏡体１０は、メガネフレーム２の上部に回動自在に設けられているので、反射鏡体１０の存在によってメガネフレーム２の機能が阻害されるようなことはない。
【００３１】
さらに、反射鏡体１０を大型化しても、メガネフレーム２の機能に影響を与えることはないので、後方の広範囲を反射鏡に映すことができ、後方の広範囲をレンズ８を通して視認することができる。
【００３２】
なお、前記の説明においては、リム３にテンプル６を一体に連結したタイプのメガネフレーム２に本発明を適用したが、図示はしないが、リムに丁番を介してテンプルを回動自在に連結したタイプのメガネフレームに適用しても良いものであり、また、所謂ハーフリムタイプのメガネフレームに本発明を適用しても良いものであり、その場合にも同様の作用効果を奏するものである。
【図面の簡単な説明】
【００３３】
【図１】本発明によるメガネの一実施の形態を示した斜視図であって、反射鏡体の回動範囲を示した説明図である。
【図２】図１の部分拡大図である。
【符号の説明】
【００３４】
１  メガネ
２  メガネフレーム
３  リム
４  溝
５  ブリッジ
６  テンプル
７  ノーズパッド
８  レンズ
１０  反射鏡体
１１  支持部材
１２  腕部
１３  支持部
１４  反射鏡
１５  ねじ
【図１】
2005181427.tif 000003
【図２】
2005181427.tif 000004